(57)【要約】【課題】宇宙のダークマターはどのようであるか。【解決手段】太陽圏では、真空の場の温度は−273℃です。ここでは、電子のラブや陽子のラブは自転だけしている。10−14m時代のダークマターが自転している場のAは、A=温度1/2=−2731/2=−16.523 です。10−14m時代のダークマターのAを−16.523とし、高エネルギーの時代になるに従って、ダークマターのAの値は大きくなる。電子のラブの自転軌道は、A分の1になり、エネルギーはA倍になる。2009年11月6日に提出した特願2009−255569の考えを基に宇宙のダークマターはどのようであるかを考える。【選択図】図１
2014082830.tif 000002
【特許請求の範囲】
【請求項１】
ダークマター(自転している素粒子)が1秒間に作る磁気の光子のエネルギーを求める式。  
ダークマターのAの場では、ダークマターの電子のラブの自転軌道は、電子のラブの自転軌道÷ダークマターのA(Aが−の場合は×になる)です。
計算上、ダークマターの電子のラブの公転軌道は、電子のラブの公転軌道÷ダークマターのA(Aが−の場合は×になる)です。
ダークマターの電子のラブの自転軌道＝電子のラブの公転軌道÷ダークマターのA×3.14÷1公転の自転数
＝電子のラブの公転軌道÷ダークマターのA×3.14÷(7.96×107回)
ダークマターの電子のラブの公転軌道＝電子のラブの自転軌道÷ダークマターのA÷3.14×7.96×107
ダークマターの電子のラブの公転軌道＝電子のラブの公転軌道÷ダークマターのA
(電子のラブの自転軌道も公転軌道も−273℃でダークマターになっている場合は、軌道は×16.523倍になる。)
ダークマターの電子のラブが1自転で作る磁気の光子1個のエネルギー
＝電子のラブが1公転で作る磁気の光子のエネルギー×ダークマターのA÷1公転の自転数
＝1.233×10−41Jm÷(電子のラブの公転軌道÷ダークマターのA)÷(7.96×107回)
＝1.549×10−49Jm÷(電子のラブの公転軌道÷ダークマターのA)
＝1.549×10−49Jm÷(電子のラブの自転軌道÷ダークマターのA÷3.14×7.96×107)
＝6.110×10−57Jm÷(電子のラブの自転軌道÷ダークマターのA)
ダークマターの電子のラブが1秒間に作る磁気の光子のエネルギー
＝ダークマターの電子のラブが1自転で作る磁気の光子1個のエネルギー×1秒間の自転数
＝6.110×10−57Jm÷(電子のラブの自転軌道÷ダークマターのA)×(7.96×107)3
＝3.082×10−33Jm÷(電子のラブの自転軌道÷ダークマターのA)
＝1.549×10−49Jm÷(電子のラブの公転軌道÷ダークマターのA)×(7.96×107)3
＝7.813×10−26Jm÷(電子のラブの公転軌道÷ダークマターのA)
上記の式により、10−14m時代のダークマターについて計算する。
10−14ｍ時代、ダークマターは、−273℃の場に存在するから、ダークマターのA＝(−273℃)1/2=−16.523、です。
ダークマターの電子のラブの自転軌道＝電子のラブの公転軌道÷ダークマターのA×3.14÷(7.96×107回)＝1.058×10−10ｍ×16.523×3.14÷(7.96×107回)＝6.896×10−17ｍ
ダークマターの電子のラブの自転軌道＝電子のラブの自転軌道÷ダークマターのA＝4.175×10−18ｍ×16.523＝6.898×10−17ｍ
ダークマターの電子のラブの公転軌道＝電子のラブの自転軌道÷ダークマターのA÷3.14×7.96×107＝4.175×10−18ｍ×16.523÷3.14×7.96×107＝1.749×10−9ｍ
ダークマターの電子のラブの公転軌道＝電子のラブの公転軌道÷ダークマターのA＝1.058×10−10ｍ×16.523＝1.748×10−9ｍ
ダークマターの電子のラブが1自転で作る磁気の光子1個のエネルギー＝6.110×10−57÷(電子のラブの自転軌道÷ダークマターのA)＝6.110×10−57Jm÷(4.175×10−18ｍ×16.523)＝8.857×10−41J
ダークマターの電子のラブが1秒間に作る磁気の光子のエネルギー＝6.110×10−57Jm÷(電子のラブの自転軌道÷ダークマターのA)×(7.96×107)3＝6.110×10−57Jm÷ダークマターの電子のラブの自転軌道×(7.96×107)3＝6.110×10−57Jm÷(6.896×10−17ｍ) ×(7.96×107)3＝4.469×10−17J
ダークマターの電子のラブが1秒間に作る磁気の光子のエネルギー＝3.082×10−33Jm÷(電子のラブの自転軌道÷ダークマターのA)＝3.082×10−33Jm÷(4.175×10−18ｍ×16.523)＝4.468×10−17J
ダークマターの電子のラブが1秒間に作る磁気の光子のエネルギー＝ダークマターの電子のラブが1自転で作る磁気の光子1個のエネルギー×1秒間の自転数＝ダークマターの電子のラブが1自転で作る磁気の光子1個のエネルギー×(7.96×107回)3＝8.857×10−41J×(7.96×107回)3＝4.467×10−17J
よってこれらの式は正しい。
この事を表に示す。
10−14m時代のダークマターの様子
表５
2014082830.tif 000008
【請求項２】
ダークマターのAの値はいくらか。どうして、ダークマターのAは16.523の倍数ではなく、5.7187×10−6なのか。
7.813×10−26Jm÷(電子のラブの公転軌道÷ダークマターのA)の式を使ってできた、ダークマターの電子のラブが1秒間に作る磁気の光子のエネルギーから、ダークマターのAの値を求める。
10−20ｍ時代のダークマターの電子のラブが1秒間に作る磁気の光子のエネルギー＝4.468×10−11J＝7.813×10−26Jm÷(電子のラブの公転軌道÷ダークマターのA)＝7.813×10−26Jm÷10−20×ダークマターのA
ダークマターのA＝4.468×10−11J÷(7.813×10−26Jm÷10−20)＝5.7187×10−6
10−19ｍ時代のダークマターの電子のラブが1秒間に作る磁気の光子のエネルギー＝4.468×10−12J＝7.813×10−26Jm÷(電子のラブの公転軌道÷ダークマターのA)＝7.813×10−26Jm÷10−19ｍ×ダークマターのA
ダークマターのA＝4.468×10−12J÷(7.813×10−26Jm÷10−19)＝5.7187×10−6
10−18ｍ時代のダークマターの電子のラブが1秒間に作る磁気の光子のエネルギー＝4.468×10−13J＝7.813×10−26Jm÷(電子のラブの公転軌道÷ダークマターのA)＝7.813×10−26Jm÷10−18ｍ×ダークマターのA
ダークマターのA＝4.468×10−13J÷(7.813×10−26Jm÷10−18)＝5.7187×10−6
10−14m時代のダークマターの電子のラブが1秒間に作る磁気の光子のエネルギー＝4.469×10−17J＝7.813×10−26Jm÷(電子のラブの公転軌道÷ダークマターのA)＝7.813×10−26Jm÷10−19ｍ×ダークマターのA
ダークマターのA＝4.468×10−17J÷(7.813×10−26Jm÷10−14)＝5.7187×10−6
ダークマターのAは定数5.7187×10−6になります。
・どうして、ダークマターのAは16.523の倍数ではなく、5.7187×10−6なのか。
a．10−14m 時代、10−14mの公転軌道を、1.058×10−10mとしている。
これは、10−14m÷(1.058×10−10m)＝9.452×10−5(倍)になっている。
b．16.523倍になっている。
これは、10−14m 時代、ダークマターのAは16.523です。
これは、1÷16.523＝6.052×10−2(倍)です。
よって、aとbから、ダークマターのAは、9.452×10−5×6.052×10−2＝5.720×10−6(倍)になっている。
それで、ダークマターのAは16.523の倍数ではなく、5.7187×10−6です。
【請求項３】
1秒間にできる磁気の光子のエネルギーと、1m3に存在する素粒子の関係式はどのようであるか。
2007年8月25日に提出した、特願2007−246139、次のように記した。
(10−16ｍの時代の宇宙には、１ｍ3に原子は1018個存在した。
10−15ｍの時代の宇宙には、１ｍ3に原子は1015個存在した。
10−14ｍの時代の宇宙には、１ｍ3に原子は1012個存在した。
10−16ｍの時代の宇宙は、1秒間に作る磁気の光子のエネルギーは7.812×10−10Jで、１ｍ3に原子は1018個存在した。
10−15ｍの時代の宇宙は、1秒間に作る磁気の光子のエネルギーは7.812×10−11Jで、１ｍ3に原子は1015個存在した。
10−14ｍの時代の宇宙は、1秒間に作る磁気の光子のエネルギーは7.812×10−12Jで、１ｍ3に原子は1012個存在した。)
宇宙に存在するのは原子ではなく、ダークマターである。
それで、次のように理解する。
(10−16ｍの時代の宇宙には、１ｍ3にダークマーは1018個存在した。
10−15ｍの時代の宇宙には、１ｍ3にダークマーは1015個存在した。
10−14ｍの時代の宇宙には、１ｍ3にダークマーは1012個存在した。
10−16ｍの時代の宇宙は、ダークマターが1秒間に作る磁気の光子のエネルギーは4.468×10−15Jで、１ｍ3にダークマーは1018個存在した。
10−15ｍの時代の宇宙は、ダークマーが1秒間に作る磁気の光子のエネルギーは4.468×10−16Jで、１ｍ3にダークマーは1015個存在した。
10−14ｍの時代の宇宙は、ダークマーが1秒間に作る磁気の光子のエネルギーは4.468×10−17Jで、１ｍ3にダークマーは1012個存在した。)
○ダークマターが1秒間に作る磁気の光子のエネルギー3と、1m3に存在するダークマター数の関係式はどのようであるか。
・10−16ｍ時代の宇宙の場合。
ダークマターが1秒間に作る磁気の光子のエネルギー3÷1m3のダークマター数＝(4.468×10−15J)3÷1018個＝8.919×10−44J÷1018個＝8.919×10−62J/個
・10−15ｍ時代の宇宙の場合。
ダークマターが1秒間に作る磁気の光子のエネルギー3÷1m3のダークマター数＝(4.468×10−16J)3÷1015個＝8.919×10−47J÷1015個＝8.919×10−62J/個
・10−14ｍ時代の宇宙の場合。
ダークマターが1秒間に作る磁気の光子のエネルギー3÷1m3のダークマター数＝(4.468×10−17J)3÷1012個＝8.919×10−50J÷1012個＝8.919×10−62J/個
よって、
1秒間にできる磁気の光子のエネルギー3÷1m3のダークマター数＝8.919×10−62J/個
1m3のダークマター数＝1秒間にできる磁気の光子のエネルギー3÷(8.919×10−62J/個)
1秒間にできる磁気の光子のエネルギーと、1m3に存在するダークマター数の関係式は、
1m3のダークマター数＝1秒間にできる磁気の光子のエネルギー3÷(8.919×10−62J/個)
1秒間にできる磁気の光子のエネルギー3＝1m3のダークマター数×8.919×10−62J/個、です。
【請求項４】
1秒間にできる磁気の光子のエネルギーと、1mに存在するダークマター数の関係式はどのようであるか。
1m3のダークマター数＝1秒間にできる磁気の光子のエネルギー3÷(8.919×10−62J/個)、
1mのダークマター数＝1秒間にできる磁気の光子のエネルギー÷(8.919×10−62J/個)1/3
＝1秒間にできる磁気の光子のエネルギー÷(89.19×10−63J/個)1/3
＝1秒間にできる磁気の光子のエネルギー÷(4.468×10−21J/個)
1秒間にできる磁気の光子のエネルギーと、1mに存在するダークマター数の関係式は、
1mのダークマター数＝1秒間にできる磁気の光子のエネルギー÷(4.468×10−21J/個)、
1秒間にできる磁気の光子のエネルギー＝1mのダークマター数×4.468×10−21J/個、です。
このことにより理解できること。
1．1mのダークマター数＝1秒間にできる磁気の光子のエネルギー÷(4.468×10−21J/個)
2．1秒間にできる磁気の光子のエネルギーが4.468×10−21Jで、1mに1個のダークマターを引きつけておくことができる。
3．10−10ｍの時代の宇宙では、1mに1個のダークマターが存在し、1m3に1個のダークマターが存在する。ダークマターである自転する陽子のラブと電子のラブは1m3に1個存在する。ほとんど無の宇宙になる。
○1mに存在するダークマター数はいくらか。
1mのダークマター数＝1秒間にできる磁気の光子のエネルギー÷(4.468×10−21J/個
・10−20ｍの時代の宇宙の場合。
1mに存在するダークマター数＝1秒間にできる磁気の光子のエネルギー÷(4.468×10−21J/個)＝4.468×10−11J÷(4.468×10−21J/個)＝1010個
・10−19ｍの時代の宇宙の場合。
1mに存在するダークマター数＝1秒間にできる磁気の光子のエネルギー÷(4.468×10−21J/個)＝4.468×10−12J÷(4.468×10−21J/個)＝109個
・10−18ｍの時代の宇宙の場合。
1mに存在するダークマター数＝1秒間にできる磁気の光子のエネルギー÷(4.468×10−21J/個)＝4.468×10−13J÷(4.468×10−21J/個)＝108個
・10−17ｍの時代の宇宙の場合。
1mに存在するダークマター数＝1秒間にできる磁気の光子のエネルギー÷(4.468×10−21J/個)＝4.468×10−14J÷(4.468×10−21J/個)＝107個
・10−16ｍの時代の宇宙の場合。
1mに存在するダークマター数＝1秒間にできる磁気の光子のエネルギー÷(4.468×10−21J/個)＝4.468×10−15J÷(4.468×10−21J/個)＝106個
・10−15ｍの時代の宇宙の場合。
1mに存在するダークマター数＝1秒間にできる磁気の光子のエネルギー÷(4.468×10−21J/個)＝4.468×10−16J÷(4.468×10−21J/個)＝105個
・10−14ｍの時代の宇宙の場合。
1mに存在するダークマター数＝1秒間にできる磁気の光子のエネルギー÷(4.468×10−21J/個)＝4.468×10−17J÷(4.468×10−21J/個)＝104個
・10−13ｍの時代の宇宙の場合。
1mに存在するダークマター数＝1秒間にできる磁気の光子のエネルギー÷(4.468×10−21J/個)＝4.468×10−18J÷(4.468×10−21J/個)＝103個
・10−12ｍの時代の宇宙の場合。
1mに存在するダークマター数＝1秒間にできる磁気の光子のエネルギー÷(4.468×10−21J/個)＝4.468×10−19J÷(4.468×10−21J/個)＝102個
・10−11ｍの時代の宇宙の場合。
1mに存在するダークマター数＝1秒間にできる磁気の光子のエネルギー÷(4.468×10−21J/個)＝4.468×10−20J÷(4.468×10−21J/個)＝101個
・10−10ｍの時代の宇宙の場合。
1mに存在するダークマター数＝1秒間にできる磁気の光子のエネルギー÷(4.468×10−21J/個)＝4.468×10−21J÷(4.468×10−21J/個)＝1個
【請求項５】
ダークマターが1秒間に作る磁気の光子のエネルギー4.468×10−21Jが、1mに1個のダークマターを引きつけておくことから、宇宙の半径はいくらか。
・これを一般式であらわす。
10amの時代の宇宙の場合。
1mのダークマター数＝1秒間にできる磁気の光子のエネルギー÷(4.468×10−21J/個)＝4.468×10−11Jm÷10a÷(4.468×10−21J/個)＝10−10−a
1m3のダークマター数＝(10−10−a)3＝10−30−3a
体積＝4π/3 r3＝宇宙のダークマター数÷1m3のダークマター数＝宇宙のダークマター数÷(10−10−a)3m3
r3=宇宙のダークマター数÷(10−10−a)3÷4π/3m3
ｒ＝(宇宙のダークマター数÷(10−10−a)3÷4π/3)1/3m=宇宙のダークマター数1/3÷(10−10−a)÷(4π/3)1/3m=宇宙のダークマター数1/3×1010＋a÷1.612m＝宇宙のダークマター数1/3×1010＋a×0.620m
r＝宇宙のダークマター数1/3×1010＋a×0.620m
宇宙の半径は、宇宙のダークマター数1/3×1010＋a×0.620m、です。
A  宇宙のダークマター数が1.077×1079個の場合。
ｒ＝宇宙のダークマター数1/3×1010＋a×0.620m＝(1.077×1079個)1/3×1010＋a×0.620m＝(10.77×1078)1/3×1010＋a×0.620m＝2.209×1026×1010＋a×0.620m＝1.370×1036＋am
ｒ＝1.370×1036+am、です。
・10−20mの時代の宇宙の場合。
ｒ＝1.370×1036−20ｍ＝1.370×1016m
・10−19mの時代の宇宙の場合。
ｒ＝1.370×1036−19ｍ＝1.370×1017ｍ
・10−18mの時代の宇宙の場合。
ｒ＝1.370×1018ｍ
・10−17mの時代の宇宙の場合。
ｒ＝1.370×1019ｍ
・10−16mの時代の宇宙の場合。
ｒ＝1.370×1020ｍ
・10−15mの時代の宇宙の場合。
ｒ＝1.370×1021ｍ
・10−14mの時代の宇宙の場合。
r＝1.370×1022ｍ
・10−13mの時代の宇宙の場合。
r＝1.370×1023ｍ
・10−12mの時代の宇宙の場合。
ｒ＝1.370×1024ｍ
・10−11mの時代の宇宙の場合。
ｒ＝1.370×1025ｍ
・10−10mの時代の宇宙の場合。
ｒ＝1.370×1026ｍ
B  宇宙のダークマター数(素粒子数)が4.554×1084個の場合。
ｒ＝宇宙のダークマター数1/3×1010＋a×0.620m＝(4.554×1084個) 1/3×1010＋a×0.620m＝1.659×1028×1010＋a×0.620m＝1.028×1038+am
ｒ＝1.028×1038+am、です。
・10−20ｍの時代の宇宙の場合。
ｒ＝1.028×1038−20m ＝1.028×1018m
・10−19ｍの時代の宇宙の場合。
ｒ＝1.028×1038−19m＝1.028×1019m
・10−18ｍの時代の宇宙の場合。
ｒ＝1.028×1020ｍ
・10−17ｍの時代の宇宙の場合。
ｒ＝1.028×1021ｍ
・10−16ｍの時代の宇宙の場合。
ｒ＝1.028×1022ｍ
・10−15ｍの時代の宇宙の場合。
ｒ＝1.028×1023ｍ
・10−14ｍの時代の宇宙の場合。
ｒ＝1.028×1024ｍ
・10−13ｍの時代の宇宙の場合。
ｒ＝1.028×1025ｍ
・10−12ｍの時代の宇宙の場合。
ｒ＝1.028×1026ｍ
・10−11ｍの時代の宇宙の場合。
ｒ＝1.028×1027ｍ
・10−10ｍの時代の宇宙の場合。
ｒ＝1.028×1028ｍ
・ビッグバンの以前は、ダークマターは存在しませんので、計算は不必要です。
このことを表に示す。
表６
2014082830.tif 000009
2014082830.tif 000010
ただし、これはダークマターが均一に存在していると考える場合のものです。
【請求項６】
1個のダークマター(素粒子)が存在する長さはいくらか。ダークマター(素粒子)とダークマター(素粒子)の間の距離はいくらか。ダークマター(素粒子)が存在する長さは、ダークマター(素粒子)の大きさの何倍か。ダークマター(素粒子)が存在する大きさは、ダークマター(素粒子)の大きさの何倍か。(宇宙のダークマターはどのように存在しているかを知る。)
10−16mの時代の宇宙の場合。
・1個のダークマター(素粒子)が存在する長さはいくらか。
1m3に1018個のダークマター(素粒子)が存在するので、1mに106個のダークマター(素粒子)が存在する。
1個のダークマターは、1m÷106個＝10−6ｍ、に存在する。
1個のダークマターが存在する長さは10−6ｍです。
1ダークマターと1ダークマターの間の距離は10−6ｍです。
・1個のダークマター(素粒子)が存在する長さは、ダークマター(素粒子)の大きさの何倍か。
10−6ｍ÷10−16ｍ＝1010(倍)
1個のダークマターが存在する長さは、ダークマターの大きさの1010倍です。
・ダークマター(素粒子)が存在する大きさは、ダークマター(素粒子)の大きさの何倍か。
大きさは、(1010)3で、1030倍です。
ダークマターが存在する大きさは、ダークマターの大きさの1030倍です。
10−15mの時代の宇宙の場合。
1m3に1015個のダークマター(素粒子)が存在するので、1mには、105個のダークマター(素粒子)が存在する。
1個のダークマター(素粒子)は、1m÷105個＝10−5ｍ、に存在する。
1個のダークマター(素粒子)が存在する長さは10−5ｍです。
1ダークマターと1ダークマターの間の距離は10−5ｍです。
ダークマター(素粒子)が存在する長さは、ダークマター(素粒子)の大きさの、10−5ｍ÷10−15ｍ＝1010、倍です。
大きさは、(1010)3で、1030倍です。
10−14mの時代の宇宙の場合。
1m3に1012個のダークマター(素粒子)が存在するので、1mには、104個のダークマター(素粒子)が存在する。
1個のダークマター(素粒子)は、1m÷104個＝10−4ｍ、に存在する。
1個のダークマター(素粒子)が存在する長さは10−4ｍです。
1ダークマターと1ダークマターの距離は10−4ｍです。
1ダークマター(素粒子)が存在する長さは、ダークマター(素粒子)の大きさの、10−4ｍ÷10−14ｍ＝1010、倍です。
大きさは、(1010)3で、1030倍です。
・これを一般式で示す。
10amの時代の宇宙の場合。
ダークマターの電子のラブが1秒間に作る磁気の光子のエネルギー
＝ダークマターの電子のラブが1自転で作る磁気の光子1個のエネルギー×1秒間の自転数
＝6.110×10−57Jm÷(電子のラブの自転軌道÷ダークマターのA)×(7.96×107)3
＝3.082×10−33Jm÷(電子のラブの自転軌道÷ダークマターのA)
＝1.549×10−49Jm÷(電子のラブの公転軌道÷ダークマターのA)×(7.96×107)3
＝7.813×10−26Jm÷(電子のラブの公転軌道÷ダークマターのA)
＝7.813×10−26Jm÷10am×ダークマターのA
＝7.813×10−26Jm÷10am×5.719×10−6
＝4.468×10−31Jm÷10am
1mのダークマター数＝1秒間にできる磁気の光子のエネルギー÷(4.468×10−21J/個)
1mのダークマター数＝4.468×10−31Jm÷10am÷(4.468×10−21J/個)＝10−10−a個
1mのダークマター数は、10−10−a個。
1個のダークマター(素粒子)は、1m÷(10−10−a個)＝1010＋aｍに存在する。
ダークマター(素粒子)が存在する長さは、1010＋amです。
1ダークマターと1ダークマターの間の距離は、1010＋amです。
1ダークマター(素粒子)が存在する長さは、ダークマター(素粒子)の大きさの1010＋a÷10a＝1010倍です。
大きさは、(1010)3＝1030倍です。
○宇宙の時代を電子のラブの公転軌道で表した場合、ダークマター(素粒子)とダークマター(素粒子)の間の距離はいくらか。
1ダークマターと1ダークマターの距離は、1010＋amです。
・10−20mの時代の宇宙の場合。
1ダークマターと1ダークマターの間の距離=1010＋am＝1010−20ｍ＝10−10ｍ
・10−19mの時代の宇宙の場合。
1ダークマターと1ダークマターの間の距離=1010＋am＝1010−19ｍ＝10−9ｍ
・10−18mの時代の宇宙の場合。
1ダークマターと1ダークマターの間の距離=1010＋am＝1010−18ｍ＝10−8ｍ
・10−17mの時代の宇宙の場合。
1ダークマターと1ダークマターの間の距離=1010＋am＝1010−17ｍ＝10−7ｍ
・10−16mの時代の宇宙の場合。
1ダークマターと1ダークマターの間の距離=1010＋am＝1010−16ｍ＝10−6ｍ
・10−15mの時代の宇宙の場合。
1ダークマターと1ダークマターの間の距離=1010＋am＝1010−15ｍ＝10−5ｍ
・10−14mの時代の宇宙の場合。
1ダークマターと1ダークマターの間の距離=1010＋am＝1010−14ｍ＝10−4ｍ
・10−13mの時代の宇宙の場合。
1ダークマターと1ダークマターの間の距離=1010＋am＝1010−13ｍ＝10−3ｍ
・10−12mの時代の宇宙の場合。
1ダークマターと1ダークマターの間の距離=1010＋am＝1010−12ｍ＝10−2ｍ
・10−11mの時代の宇宙の場合。
1ダークマターと1ダークマターの間の距離=1010＋am＝1010−11ｍ＝10−1ｍ
・10−10mの時代の宇宙の場合。
1ダークマターと1ダークマターの間の距離=1010＋am＝1010−10ｍ＝1ｍ
【請求項７】
1ダークマター(素粒子)と1ダークマター(素粒子)の間の距離は1010＋amである。この場合、1ダークマター(素粒子)と1ダークマター(素粒子)の間の引力はいくらか。
1ダークマターと1ダークマターの間の引力＝1電子のラブが1秒間に作る磁気の光子のエネルギー2÷1ダークマターと1ダークマターの間の距離2
＝(4.468×10−31Jm÷10am
)2÷(1010＋am)2
＝1.996×10−61Jm÷102a÷1020＋2a
＝1.996×10−81−4aJm
1ダークマター(素粒子)と1ダークマター(素粒子)の間の引力は1.996×10−81−4aJmです。
.○宇宙の時代を電子のラブの公転軌道で表した場合、1ダークマターと1ダークマター間の引力はいくらか。
・10−20mの時代の宇宙の場合。
1ダークマターと1ダークマターの間の引力＝1個のダークマターが1秒間に作る磁気の光子のエネルギー2÷ダークマターとダークマターの距離2＝(4.468×10−11J)2÷(10−10ｍ)2＝1.996×10−21J×1020＝1.996×10−1J/m
・10−19mの時代の宇宙の場合。
1ダークマターと1ダークマターの間の引力＝1個のダークマターが1秒間に作る磁気の光子のエネルギー2÷ダークマターとダークマターの距離2＝(4.468×10−12J)2÷(10−9ｍ)2＝1.996×10−23J×1018＝1.996×10−5J/m
・10−18mの時代の宇宙の場合。
1ダークマターと1ダークマターの間の引力＝1個のダークマターが1秒間に作る磁気の光子のエネルギー2÷ダークマターとダークマターの距離2＝(4.468×10−13J)2÷(10−8ｍ)2＝1.996×10−25J×1016ｍ＝1.996×10−9J/m
・10−17mの時代の宇宙の場合。
1ダークマターと1ダークマターの間の引力＝1個のダークマターが1秒間に作る磁気の光子のエネルギー2÷ダークマターとダークマターの距離2＝(4.468×10−14J)2÷(10−7ｍ)2＝1.996×10−27J×1014＝1.996×10−13J/m
・10−16mの時代の宇宙の場合。
1ダークマターと1ダークマターの間の引力＝1個のダークマターが1秒間に作る磁気の光子のエネルギー2÷ダークマターとダークマターの距離2＝(4.468×10−15J)2÷(10−6ｍ)2＝1.996×10−29J×1012＝1.996×10−17J/m
・10−15mの時代の宇宙の場合。
1ダークマターと1ダークマターの間の引力＝1個のダークマターが1秒間に作る磁気の光子のエネルギー2÷ダークマターとダークマターの距離2＝(4.468×10−16J)2÷(10−5ｍ)2＝1.996×10−31J×1010＝1.996×10−21J/m
・10−14mの時代の宇宙の場合。
1ダークマターと1ダークマターの間の引力＝1個のダークマターが1秒間に作る磁気の光子のエネルギー2÷ダークマターとダークマターの距離2＝(4.468×10−17J)2÷(10−4ｍ)2＝1.996×10−33J×108＝1.996×10−25J/m
・10−13mの時代の宇宙の場合。
1ダークマターと1ダークマターの間の引力＝1個のダークマターが1秒間に作る磁気の光子のエネルギー2÷ダークマターとダークマターの距離2＝(4.468×10−18J)2÷(10−3ｍ)2＝1.996×10−31J×106＝1.996×10−29J/m
・10−12mの時代の宇宙の場合。
1ダークマターと1ダークマターの間の引力＝1個のダークマターが1秒間に作る磁気の光子のエネルギー2÷ダークマターとダークマターの距離2＝(4.468×10−19J)2÷(10−2ｍ)2＝1.996×10−37J×104＝1.996×10−33J/m
・10−11mの時代の宇宙の場合。
1ダークマターと1ダークマターの間の引力＝1個のダークマターが1秒間に作る磁気の光子のエネルギー2÷ダークマターとダークマターの距離2＝(4.468×10−20J)2÷(10−1ｍ)2＝1.996×10−39J×102＝1.996×10−37J/m
・10−10mの時代の宇宙の場合。
1ダークマターと1ダークマターの間の引力＝1個のダークマターが1秒間に作る磁気の光子のエネルギー2÷ダークマターとダークマターの距離2＝(4.468×10−21J)2÷(1ｍ)2＝
1.996×10−41J×12＝1.996×10−41J/m
この計算によって、
1ダークマター(素粒子)と1ダークマター(素粒子)の間の引力は1.996×10−81−4aJmであることが理解できた。
【請求項８】
引力と、1m3に存在するダークマター数の関係式はどのようであるか。
2007年8月25日に提出した、特願2007−246139、に次のように記した。
(10−16ｍの時代の宇宙には、１ｍ3に原子は1018個存在した。10−15ｍの時代の宇宙には、１ｍ3に原子は1015個存在した。10−14ｍの時代の宇宙には、１ｍ3に原子は1012個存在した。)
○引力と、1m3のダークマター数の関係式はどのようであるか。
・10−16ｍの時代の宇宙の場合。
ダークマターが作る引力は、1.996×10−17J/m です。
1m3のダークマター数4÷引力3＝(1018個)4÷(1.996×10−17J/m)3＝1072個÷(7.952×10−51J/m)＝1.258×10122個/J/m
・10−15ｍの時代の宇宙の場合。
引力は、1.996×10−21J/mです。
1m3のダークマター数4÷引力3＝(1015個)4÷(1.996×10−21J/m)3＝1060個÷(7.952×10−63J/m)＝1.258×10122個/J/m
・10−14ｍの時代の宇宙の場合。
引力は、1.996×10−25J/mです。
1m3のダークマター数4÷引力3＝(1012個)4÷(1.996×10−25J/m)3＝1048個÷(7.952×10−75J/m)＝1.258×10122個/J/m
・引力と、1m3のダークマター数の関係式は次のようです。
1m3のダークマター数4÷引力3＝1.258×10122個/J/m
1m3のダークマター数4＝1.258×10122個/J/m×引力3
1m3のダークマター数＝(1.258×10122個/J/m×引力3)1/4
引力3＝1m3のダークマター数4÷(1.258×10122個/J/m)
引力＝{1m3のダークマター数4÷(1.258×10122個/J/m)}1/3
・1m3のダークマター数4＝1.258×10122個/J/m×引力3、
1m3のダークマター数＝(1.258×10122個/J/m×引力3)1/4、の式が成立することを、確かめる。
・10−20ｍの場合。
1m3のダークマター数4＝1.258×10122個/J/m×引力3
(1030個)4＝1.258×10122個/J/m×(1.996×10−1J/m)3＝1.258×10122個/J/m×7.952×10−3J/m＝10120個
.・10−19ｍの場合。
1m3のダークマター数4＝1.258×10122個/J/m×引力3
(1027個)4＝1.258×10122個/J/m×(1.996×10−5J/m)3＝1.258×10122個/J/m×7.952×10−15J/m＝10108個
・10−18mの場合。
1m3のダークマター数4＝1.258×10122個/J/m×引力3
(1024個)4＝1.258×10122個/J/m×(6.103×10J/m)3＝1.258×10122個/J/m×227.32×103J/m＝1096個
この計算によって、
・1m3のダークマター数＝(1.258×10122個/J/m×引力3)1/4  の式は成立する。
また、
引力3=1m3のダークマター数4÷(1.258×10122個/J/m)、
引力={1m3のダークマター数4÷(1.258×10122個/J/m)}1/3、の式も成立する。
【請求項９】
1m3の数は、1ダークマターと1ダークマターの間の引力の何倍か。
10aの時代の宇宙の場合。
1ダークマターと1ダークマターの間の引力は、
引力＝{1m3のダークマター数4÷(1.258×10122個/J/m)}1/3＝{(10−30−3a)4個÷(1.258×10122個/J/m)}1/3＝｛10−120−12a÷(1.258×10122J/m)}1/3＝{7.949×10−243−12aJ/m｝1/3=1.996×10−81−4aJ/m
引力＝1.996×10−81−4aJ/m
1m3のダークマター数は、10−30−3a、です。
○1m3のダークマター数は、1ダークマターと1ダークマターの間の引力の何倍か。
1m3のダークマター数÷1ダークマターと1ダークマターの間の引力＝10−30−3a÷(1.996×10−81−4aJ/m)＝5.010×1050−3a+4a＝5.010×1050＋a(倍)
1m3のダークマター数は、1ダークマターと1ダークマターの間の引力の5.010×1050＋a倍です。
○宇宙の時代を電子のラブの公転軌道で表した場合、1m3のダークマター数は、1ダークマターと1ダークマターの間の引力の何倍か。
・10−20mの時代の宇宙の場合。
1m3のダークマター数÷1ダークマターと1ダークマターの間の引力＝1030個÷(1.996×10−1J/m)＝5.010×1030
1m3のダークマター数は1ダークマターと1ダークマターの間の引力の5×1030倍
・10−19mの時代の宇宙の場合。
1m3のダークマター数÷1ダークマターと1ダークマターの間の引力＝1027個÷(1.996×10−5J/m)＝5.010×1031
1m3のダークマター数＝1ダークマターと1ダークマターの間の引力の5.010×1031倍
・10−18mの時代の宇宙の場合。
1m3のダークマター数÷1ダークマターと1ダークマターの間の引力＝1024個÷(1.996×10−9J/m)＝5.010×1032倍
1m3のダークマター数＝1ダークマターと1ダークマターの間の引力の5.010×1032倍
・10−17mの時代の宇宙の場合。
1m3のダークマター数÷1ダークマターと1ダークマターの間の引力＝1021個÷(1.996×10−13J/m)＝5.010×1033倍
1m3のダークマター数＝1ダークマターと1ダークマターの間の引力の5.010×1033倍
・10−16mの時代の宇宙の場合。
1m3のダークマター数÷1ダークマターと1ダークマターの間の引力＝1018個÷(1.996×10−17J/m)＝5.010×1034倍
1m3のダークマター数＝1ダークマターと1ダークマターの間の引力の5.010×1034倍
・10−15mの時代の宇宙の場合。
1m3のダークマター数÷1ダークマターと1ダークマターの間の引力＝1015個÷(1.996×10−21J/m)＝5.010×1035倍
1m3のダークマター数＝1ダークマターと1ダークマターの間の引力の5.010×1035倍
・10−14mの時代の宇宙の場合。
1m3のダークマター数÷1ダークマターと1ダークマターの間の引力＝1012個÷(1.996×10−25J/m)＝5.010×1036倍
1m3のダークマター数＝1ダークマターと1ダークマターの間の引力の5.010×1036倍
・10−13mの時代の宇宙の場合。
1m3のダークマター数÷1ダークマターと1ダークマターの間の引力＝109個÷(1.996×10−29J/m)＝5.010×1037倍
1m3のダークマター数＝1ダークマターと1ダークマターの間の引力の5.010×1037倍
・10−12mの時代の宇宙の場合。
1m3のダークマター数÷1ダークマターと1ダークマターの間の引力＝106個÷(1.996×10−33J/m)＝5.010×1038倍
1m3のダークマター数＝1ダークマターと1ダークマターの間の引力の5.010×1038倍
・10−11mの時代の宇宙の場合。
1m3のダークマター数÷1ダークマターと1ダークマターの間の引力＝103個÷(1.996×10−37J/m)＝5.010×1039倍
1m3のダークマター数＝1ダークマターと1ダークマターの間の引力の5.010×1039倍
・10−10mの時代の宇宙の場合。
1m3のダークマター数÷1ダークマターと1ダークマターの間の引力＝1個÷(1.996×10−41J/m)＝5.010×1040倍
1m3のダークマター数＝1ダークマターと1ダークマターの間の引力の5.010×1040倍
故に、1m3のダークマター数は、1ダークマターと1ダークマターの間の引力の5.010×1050＋a倍である。
この事によって、1m3のダークマター数＝1ダークマターと1ダークマターの間の引力×5.010×1050+a倍であることが理解できた。
【請求項１０】
1m3のダークマター数4＝1.258×10122個/J/m×引力3。1m3のダークマター数＝(1.258×10122個/J/m×引力3)1/4、の式と、1m3のダークマター数＝1ダークマターと1ダークマターの間の引力×5.010×1050＋a、は同じことを意味する。
「請求項8」で、1m3のダークマター数4＝1.258×10122個/J/m×引力3。
1m3のダークマター数＝(1.258×10122個/J/m×引力3)1/4、の式が成立することを確かめた。
また、「請求項9」で、1m3のダークマター数＝1ダークマターと1ダークマターの間の引力の5.010×1050＋a倍であることを確かめた。
よって、
1m3のダークマター数4＝1.258×10122個/J/m×引力3、
1m3のダークマター数＝(1.258×10122個/J/m×引力3)1/4
の式と、
1m3のダークマター数＝1ダークマターと1ダークマターの間の引力の5.010×1050＋a倍＝引力×5.010×1050＋a、
の式は同じことを意味する。
このことにより、
引力3=1m3のダークマター数4÷(1.258×10122個/J/m)
引力={1m3のダークマター数4÷(1.258×10122個/J/m)}1/3
の式と
引力＝1m3のダークマター数÷(5.010×1050＋a)
の式は同じことを意味する。
このことを表に示す。
表７
2014082830.tif 000011
ただし、これはダークマターが均一に存在していると考える場合のものです。
【発明の詳細な説明】
【技術分野】
【０００１】
本発明は、ダークマター関するものである。
【背景技術】
【０００２】
・2009年11月6日に提出した、特願2009−255569の「請求項1」に次のように記した。
１．  宇宙は膨張している。宇宙の膨張はどのように行われたか。
私は、2009年9月19日に提出した、特願2009−218192．において、ビッグバンの以前の引力を求めた。引力により、宇宙の原子は集められている。宇宙の原子数は、ビッグバンの以前、電子のラブのエネルギーが8.665Jの場合、4.554×1084個であり、電子のラブのエネルギーが1Jの場合、1.007×1079個であると理解した。2007年8月25日に提出した、特願2007−246139．で次のように記した。(10−16ｍの時代の宇宙には、１ｍ3に原子は1018個存在した。10−15ｍの時代の宇宙には、１ｍ3に原子は1015個存在した。10−14ｍの時代の宇宙には、１ｍ3に原子は1012個存在した。10−16ｍの時代の宇宙は、1秒間に作る磁気の光子のエネルギーは7.812×10−10Jで、１ｍ3に原子は1018個存在した。10−15ｍの時代の宇宙は、1秒間に作る磁気の光子のエネルギーは7.812×10−11Jで、１ｍ3に原子は1015個存在した。10−14ｍの時代の宇宙は、1秒間に作る磁気の光子のエネルギーは7.812×10−12Jで、１ｍ3に原子は1012個存在した)
・2012年3月6日に提出した、特願2012−049552．に次のように記した。
「請求項18」  ダークマターはどのようにできたか。
私は、特願2007−133476で、「ダークマターは、−273℃の場に存在し、公転できず、自転だけしている電子のラブと陽子のラブです」と記した。
初め、電子のラブと陽子のラブの数は、1.0765×1079個でした。陽子のラブの集団の数、1.0765×1079個のうち、中心の3.152×1070個は収縮し、宇宙の中心のブラックホールになりました。
そして、その外側の陽子のラブは爆発し、電子のラブの軌道にたどり着き、原子を作りました。できた全体の原子の数は、2.981×1076個です。この全体の原子の数が宇宙の中心にブラックホールを作りました。
原子になれなかった、電子のラブと陽子のラブは、−273℃の場に存在し、公転できず、自転だけしている電子のラブと陽子のラブです。
その数は、1.0765×1079個÷(2.981×1076)＝361(倍)、です。
ダークマターは、原子になれなかった、自転している電子のラブと自転している陽子のラブで、原子として存在しているものの361倍です。
「請求項１９」  どうしてダークマターは原子として存在しているものの361倍に成ったか。
電子のラブの軌道はまるで、太陽が作る惑星の軌道のように平面上に存在していた。それで、電子のラブの存在する軌道も平面上に存在していた。即ち、球体が360の平面でできているとすると、360分の1の空間に存在していた。それで、陽子のラブが走ってきた時、陽子のラブが電子のラブと出会う確率は360分の1になる。そのため、原子ができる確率も360分の1になる。
この事は、電子のラブは、陽子のラブの集団が作る軌道上に存在し、その軌道は平面上であった事を示す。
・これらのことにより、宇宙の素粒子数は、ビッグバンの以前、電子のラブのエネルギーが8.665Jの場合、4.554×1084個であり、電子のラブのエネルギーが1Jの場合、1.007×1079個であると理解した。そして、この360分の1は原子になり、その他のものはダークマターになった。宇宙のダークマターの数は約ビッグバンの以前の素粒子の数です。
それで、原子は宇宙にどのように存在しているかを、
・2009年11月6日に提出した、特願2009−255569に記した。
今回は、ダークマターはどのように宇宙に存在しているのかを考える。
・2012年10月1日に提出した、特願2012−219904に次のように記した。
各時代のダークマターの状態を次のように理解した。
このように考え、各時代の状態を表に示す。
表7と表9を次のように補正訂正する。
表1
2014082830.tif 000003
この表により理解できること
１．ダークマターが１秒間に作る磁気の光子のエネルギーはビッグバンの時空に近いほど、高エネルギーにです。
2．ダークマターの大きさは、ビッグバンの時空に近いほど小さい。
3．全てのダークマターが作る磁気の光子のエネルギーは、宇宙の初期ほど大きい。
4．宇宙の初期ほど、空間は狭いので、空間に対する磁気の光子のエネルギーは大きい。
5．宇宙の初期に近い時空では、ダークマターの磁気の光子のエネルギーは大きいので、強い磁力になっている。
6．ダークマターの磁気の光子のエネルギーは引力ですから、宇宙の初期ほど強力な引力に成っている。
7．ダークマターの温度も変化する。
8．ダークマターの温度は初期宇宙のほうが温度は高い。
【先行技術文献】
【非特許文献】
【０００３】
【特許文献１】特願2007−133476
【特許文献２】特願2007−24613９
【特許文献３】特願2009−218192
【特許文献４】特願2009−255569
【特許文献５】特願2012−049552
【特許文献６】特願2012−219904
【発明の概要】
【発明が解決しようとする課題】
【０００４】
１．    ダークマター(自転している素粒子)が1秒間に作る磁気の光子のエネルギーを求める式。
２．    ダークマターのAの値はいくらか。どうして、ダークマターのAは16.523の倍数ではなく、5.7187×10−6なのか。
３．    1秒間にできる磁気の光子のエネルギーと、1m3に存在する素粒子の関係式はどのようであるか。
４．    1秒間にできる磁気の光子のエネルギーと、1mに存在するダークマター数の関係式はどのようであるか。
５．    ダークマターが1秒間に作る磁気の光子のエネルギー4.468×10−21Jが、1mに1個のダークマターを引きつけておくことから、宇宙の半径はいくらか。
６．    1個のダークマター(素粒子)が存在する長さはいくらか。ダークマター(素粒子)とダークマター(素粒子)の間の距離はいくらか。ダークマター(素粒子)が存在する長さは、ダークマター(素粒子)の大きさの何倍か。ダークマター(素粒子)が存在する大きさは、ダークマター(素粒子)の大きさの何倍か。(宇宙のダークマターはどのように存在しているかを知る。)
７．    1ダークマター(素粒子)と1ダークマター(素粒子)の間の距離は1010＋amである。この場合、1ダークマター(素粒子)と1ダークマター(素粒子)の間の引力はいくらか。
８．    引力と、1m3に存在する原子数の関係式はどのようであるか。
９．    1m3の数は、1ダークマターと1ダークマターの間の引力の何倍か。
１０．    1m3のダークマター数4＝1.258×10122個/J/m×引力3。1m3のダークマター数＝(1.258×10122個/J/m×引力3)1/4、の式と、1m3のダークマター数＝1ダークマターと1ダークマターの間の引力×5.010×1050＋a、は同じことを意味する。
【課題を解決するための手段】
【０００５】
太陽圏では、真空の場の温度は−273℃です。ここでは、電子のラブや陽子のラブは自転だけしている。10−14m時代のダークマターが自転している場のAは、A=温度1/2=−2731/2=−16.523 です。10−14m時代のダークマターのAを−16.523とし、高エネルギーの時代になるに従って、ダークマターのAの値は大きくなる。
電子のラブの自転軌道は、A分の1になり、エネルギーはA倍になる。2009年11月6日に提出した特願2009−255569の考えを基にダークマターを考える。
【発明の効果】
【０００６】
次の事が理解できた。
１．ダークマターのAの場では、ダークマターの電子のラブの自転軌道は、電子のラブの自転軌道÷ダークマターのA(Aが−の場合は×になる)です。
計算上、ダークマターの電子のラブの公転軌道は、電子のラブの公転軌道÷ダークマターのA(Aが−の場合は×になる)です。
ダークマターの電子のラブが1自転で作る磁気の光子1個のエネルギーの式ができた。
ダークマターの電子のラブが1秒間に作る磁気の光子のエネルギーの式ができた。
10−14ｍ時代、
ダークマターは、−273℃の場に存在するから、ダークマターのA＝(−273℃)1/2=−16.523、です。
ダークマターの電子のラブの自転軌道は6.898×10−17ｍです。
ダークマターの電子のラブが1自転で作る磁気の光子1個のエネルギー＝8.857×10−41J、です
ダークマターの電子のラブが1秒間に作る磁気の光子のエネルギー＝4.468×10−17J、です。
２．a．10−14m 時代、10−14mの公転軌道を、1.058×10−10mとしている。
これは、10−14m÷(1.058×10−10m)＝9.452×10−5(倍)になっている。
b．16.523倍になっている。
これは、10−14m 時代、ダークマターのAは16.523です。
これは、1÷16.523＝6.052×10−2(倍)です。
よって、aとbから、ダークマターのAは、9.452×10−5×6.052×10−2＝5.720×10−6(倍)になっている。
３．1秒間にできる磁気の光子のエネルギーと、1m3に存在するダークマター数の関係式は、
1m3のダークマター数＝1秒間にできる磁気の光子のエネルギー3÷(8.919×10−62J/個)
1秒間にできる磁気の光子のエネルギー3＝1m3のダークマター数×8.919×10−62J/個、です。
４．
1．1mのダークマター数＝1秒間にできる磁気の光子のエネルギー÷(4.468×10−21J/個)
2．1秒間にできる磁気の光子のエネルギーが4.468×10−21Jで、1mに1個のダークマターを引きつけておくことができる。
3．10−10ｍの軌道の宇宙では、1mに1個のダークマターが存在し、1m3に1個のダークマターが存在する。ダークマターである自転する陽子のラブと電子のラブは1m3に1個存在する。
５．A  宇宙のダークマター数が1.077×1079個の場合、
ｒ＝宇宙のダークマター数1/3×1010＋a×0.620m＝(1.077×1079個)1/3×1010＋a×0.620m＝(10.77×1078)1/3×1010＋a×0.620m＝2.209×1026×1010＋a×0.620m＝×0.620＝1.370×1036＋am
ｒ＝1.370×1036+am、です。
B  宇宙のダークマター数(素粒子数)が4.554×1084個の場合、
ｒ＝宇宙のダークマター数1/3×1010＋a×0.620m＝(4.554×1084個) 1/3×1010＋a×0.620m＝1.659×1028×1010＋a×0.620m＝1.029×1038+am
ｒ＝1.029×1038+am、です。
６．10amの時代の宇宙の場合。
ダークマターの電子のラブが1秒間に作る磁気の光子のエネルギー＝4.468×10−31Jm÷10am
1mのダークマター数＝1秒間にできる磁気の光子のエネルギー÷(4.468×10−21J/個)
1mのダークマター数＝4.468×10−31Jm÷10am÷(4.468×10−21J/個)＝10−10−a個
1mのダークマター数は、10−10−a個。
1個のダークマター(素粒子)は、1m÷(10−10−a個)＝1010＋aｍに存在する。
ダークマター(素粒子)が存在する長さは、1010＋amです。
1ダークマターと1ダークマターの間の距離は、1010＋amです。
1ダークマター(素粒子)が存在する長さは、ダークマター(素粒子)の大きさの1010＋a÷10a＝1010倍です。
大きさは、(1010)3＝1030倍です。
７．ダークマター(素粒子)と1ダークマター(素粒子)の間の引力は1.996×10−81−4aJmである。
８．1m3のダークマター数は、1ダークマターと1ダークマターの間の引力の5.010×1050＋a倍です。
９．引力と、1m3のダークマター数の関係式は次のようです。
1m3のダークマター数4÷引力3＝1.258×10122個/J/m
1m3のダークマター数4＝1.258×10122個/J/m×引力3
1m3のダークマター数＝(1.258×10122個/J/m×引力3)1/4
引力3＝1m3のダークマター数4÷(1.258×10122個/J/m)
引力＝{1m3のダークマター数4÷(1.258×10122個/J/m)}1/3
１０．1m3のダークマター数÷1ダークマターと1ダークマターの間の引力＝10−30−3a÷(1.996×10−81−4aJ/m)＝5.010×1050−3a+4a＝5.010×1050＋a(倍)
1m3のダークマター数は、1ダークマターと1ダークマターの間の引力の5.010×1050＋a倍です。
【図面の簡単な説明】
【０００７】
【図１】図1は、宇宙の時代を電子のラブの公転軌道で表し、時代におけるダークマターの様子を示す。
【発明を実施するための形態】
【０００８】
１．  ダークマター(自転している素粒子)が1秒間に作る磁気の光子のエネルギーを求める式。  
ダークマターのAの場では、ダークマターの電子のラブの自転軌道は、電子のラブの自転軌道÷ダークマターのA(Aが−の場合は×になる)です。
計算上、ダークマターの電子のラブの公転軌道は、電子のラブの公転軌道÷ダークマターのA(Aが−の場合は×になる)です。
ダークマターの電子のラブの自転軌道＝電子のラブの公転軌道÷ダークマターのA×3.14÷1公転の自転数
＝電子のラブの公転軌道÷ダークマターのA×3.14÷(7.96×107回)
ダークマターの電子のラブの公転軌道＝電子のラブの自転軌道÷ダークマターのA÷3.14×7.96×107
ダークマターの電子のラブの公転軌道＝電子のラブの公転軌道÷ダークマターのA
(電子のラブの自転軌道も公転軌道も−273℃でダークマターになっている場合は、軌道は×16.523倍になる。)
ダークマターの電子のラブが1自転で作る磁気の光子1個のエネルギー
＝電子のラブが1公転で作る磁気の光子のエネルギー×ダークマターのA÷1公転の自転数
＝1.233×10−41Jm÷(電子のラブの公転軌道÷ダークマターのA)÷(7.96×107回)
＝1.549×10−49Jm÷(電子のラブの公転軌道÷ダークマターのA)
＝1.549×10−49Jm÷(電子のラブの自転軌道÷ダークマターのA÷3.14×7.96×107)
＝6.110×10−57Jm÷(電子のラブの自転軌道÷ダークマターのA)
ダークマターの電子のラブが1秒間に作る磁気の光子のエネルギー
＝ダークマターの電子のラブが1自転で作る磁気の光子1個のエネルギー×1秒間の自転数
＝6.110×10−57Jm÷(電子のラブの自転軌道÷ダークマターのA)×(7.96×107)3
＝3.082×10−33Jm÷(電子のラブの自転軌道÷ダークマターのA)
＝1.549×10−49Jm÷(電子のラブの公転軌道÷ダークマターのA)×(7.96×107)3
＝7.813×10−26Jm÷(電子のラブの公転軌道÷ダークマターのA)
上記の式により、10−14m時代のダークマターについて計算する。
10−14ｍ時代、ダークマターは、−273℃の場に存在するから、ダークマターのA＝(−273℃)1/2=−16.523、です。
ダークマターの電子のラブの自転軌道＝電子のラブの公転軌道÷ダークマターのA×3.14÷(7.96×107回)＝1.058×10−10ｍ×16.523×3.14÷(7.96×107回)＝6.896×10−17ｍ
ダークマターの電子のラブの自転軌道＝電子のラブの自転軌道÷ダークマターのA＝4.175×10−18ｍ×16.523＝6.898×10−17ｍ
ダークマターの電子のラブの公転軌道＝電子のラブの自転軌道÷ダークマターのA÷3.14×7.96×107＝4.175×10−18ｍ×16.523÷3.14×7.96×107＝1.749×10−9ｍ
ダークマターの電子のラブの公転軌道＝電子のラブの公転軌道÷ダークマターのA＝1.058×10−10ｍ×16.523＝1.748×10−9ｍ
ダークマターの電子のラブが1自転で作る磁気の光子1個のエネルギー＝6.110×10−57÷(電子のラブの自転軌道÷ダークマターのA)＝6.110×10−57Jm÷(4.175×10−18ｍ×16.523)＝8.857×10−41J
ダークマターの電子のラブが1秒間に作る磁気の光子のエネルギー＝6.110×10−57Jm÷(電子のラブの自転軌道÷ダークマターのA)×(7.96×107)3＝6.110×10−57Jm÷ダークマターの電子のラブの自転軌道×(7.96×107)3＝6.110×10−57Jm÷(6.896×10−17ｍ) ×(7.96×107)3＝4.469×10−17J
ダークマターの電子のラブが1秒間に作る磁気の光子のエネルギー＝3.082×10−33Jm÷(電子のラブの自転軌道÷ダークマターのA)＝3.082×10−33Jm÷(4.175×10−18ｍ×16.523)＝4.468×10−17J
ダークマターの電子のラブが1秒間に作る磁気の光子のエネルギー＝ダークマターの電子のラブが1自転で作る磁気の光子1個のエネルギー×1秒間の自転数＝ダークマターの電子のラブが1自転で作る磁気の光子1個のエネルギー×(7.96×107回)3＝8.857×10−41J×(7.96×107回)3＝4.467×10−17J
よってこれらの式は正しい。
この事を表に示す。
10−14m時代のダークマターの様子
表2
2014082830.tif 000004
２．    ダークマターのAの値はいくらか。どうして、ダークマターのAは16.523の倍数ではなく、5.7187×10−6なのか。
7.813×10−26Jm÷(電子のラブの公転軌道÷ダークマターのA)の式を使ってできた、ダークマターの電子のラブが1秒間に作る磁気の光子のエネルギーから、ダークマターのAの値を求める。
10−20ｍ時代のダークマターの電子のラブが1秒間に作る磁気の光子のエネルギー＝4.468×10−11J＝7.813×10−26Jm÷(電子のラブの公転軌道÷ダークマターのA)＝7.813×10−26Jm÷10−20×ダークマターのA
ダークマターのA＝4.468×10−11J÷(7.813×10−26Jm÷10−20)＝5.7187×10−6
10−19ｍ時代のダークマターの電子のラブが1秒間に作る磁気の光子のエネルギー＝4.468×10−12J＝7.813×10−26Jm÷(電子のラブの公転軌道÷ダークマターのA)＝7.813×10−26Jm÷10−19ｍ×ダークマターのA
ダークマターのA＝4.468×10−12J÷(7.813×10−26Jm÷10−19)＝5.7187×10−6
10−18ｍ時代のダークマターの電子のラブが1秒間に作る磁気の光子のエネルギー＝4.468×10−13J＝7.813×10−26Jm÷(電子のラブの公転軌道÷ダークマターのA)＝7.813×10−26Jm÷10−18ｍ×ダークマターのA
ダークマターのA＝4.468×10−13J÷(7.813×10−26Jm÷10−18)＝5.7187×10−6
10−14m時代のダークマターの電子のラブが1秒間に作る磁気の光子のエネルギー＝4.469×10−17J＝7.813×10−26Jm÷(電子のラブの公転軌道÷ダークマターのA)＝7.813×10−26Jm÷10−19ｍ×ダークマターのA
ダークマターのA＝4.468×10−17J÷(7.813×10−26Jm÷10−14)＝5.7187×10−6
ダークマターのAは定数5.7187×10−6になります。
・どうして、ダークマターのAは16.523の倍数ではなく、5.7187×10−6なのか。
a．10−14m 時代、10−14mの公転軌道を、1.058×10−10mとしている。
これは、10−14m÷(1.058×10−10m)＝9.452×10−5(倍)になっている。
b．16.523倍になっている。
これは、10−14m 時代、ダークマターのAは16.523です。
これは、1÷16.523＝6.052×10−2(倍)です。
よって、aとbから、ダークマターのAは、9.452×10−5×6.052×10−2＝5.720×10−6(倍)になっている。
それで、ダークマターのAは16.523の倍数ではなく、5.7187×10−6です。
３．    1秒間にできる磁気の光子のエネルギーと、1m3に存在する素粒子の関係式はどのようであるか。
2007年8月25日に提出した、特願2007−246139、次のように記した。
(10−16ｍの時代の宇宙には、１ｍ3に原子は1018個存在した。
10−15ｍの時代の宇宙には、１ｍ3に原子は1015個存在した。
10−14ｍの時代の宇宙には、１ｍ3に原子は1012個存在した。
10−16ｍの時代の宇宙は、1秒間に作る磁気の光子のエネルギーは7.812×10−10Jで、１ｍ3に原子は1018個存在した。
10−15ｍの時代の宇宙は、1秒間に作る磁気の光子のエネルギーは7.812×10−11Jで、１ｍ3に原子は1015個存在した。
10−14ｍの時代の宇宙は、1秒間に作る磁気の光子のエネルギーは7.812×10−12Jで、１ｍ3に原子は1012個存在した。)
宇宙に存在するのは原子ではなく、ダークマターである。
それで、次のように理解する。
(10−16ｍの時代の宇宙には、１ｍ3にダークマーは1018個存在した。
10−15ｍの時代の宇宙には、１ｍ3にダークマーは1015個存在した。
10−14ｍの時代の宇宙には、１ｍ3にダークマーは1012個存在した。
10−16ｍの時代の宇宙は、ダークマターが1秒間に作る磁気の光子のエネルギーは4.468×10−15Jで、１ｍ3にダークマーは1018個存在した。
10−15ｍの時代の宇宙は、ダークマーが1秒間に作る磁気の光子のエネルギーは4.468×10−16Jで、１ｍ3にダークマーは1015個存在した。
10−14ｍの時代の宇宙は、ダークマーが1秒間に作る磁気の光子のエネルギーは4.468×10−17Jで、１ｍ3にダークマーは1012個存在した。)
○ダークマターが1秒間に作る磁気の光子のエネルギー3と、1m3に存在するダークマター数の関係式はどのようであるか。
・10−16ｍ時代の宇宙の場合。
ダークマターが1秒間に作る磁気の光子のエネルギー3÷1m3のダークマター数＝(4.468×10−15J)3÷1018個＝8.919×10−44J÷1018個＝8.919×10−62J/個
・10−15ｍ時代の宇宙の場合。
ダークマターが1秒間に作る磁気の光子のエネルギー3÷1m3のダークマター数＝(4.468×10−16J)3÷1015個＝8.919×10−47J÷1015個＝8.919×10−62J/個
・10−14ｍ時代の宇宙の場合。
ダークマターが1秒間に作る磁気の光子のエネルギー3÷1m3のダークマター数＝(4.468×10−17J)3÷1012個＝8.919×10−50J÷1012個＝8.919×10−62J/個
よって、
1秒間にできる磁気の光子のエネルギー3÷1m3のダークマター数＝8.919×10−62J/個
1m3のダークマター数＝1秒間にできる磁気の光子のエネルギー3÷(8.919×10−62J/個)
1秒間にできる磁気の光子のエネルギーと、1m3に存在するダークマター数の関係式は、
1m3のダークマター数＝1秒間にできる磁気の光子のエネルギー3÷(8.919×10−62J/個)
1秒間にできる磁気の光子のエネルギー3＝1m3のダークマター数×8.919×10−62J/個、です。
４．    1秒間にできる磁気の光子のエネルギーと、1mに存在するダークマター数の関係式はどのようであるか。
1m3のダークマター数＝1秒間にできる磁気の光子のエネルギー3÷(8.919×10−62J/個)、
1mのダークマター数＝1秒間にできる磁気の光子のエネルギー÷(8.919×10−62J/個)1/3
＝1秒間にできる磁気の光子のエネルギー÷(89.19×10−63J/個)1/3
＝1秒間にできる磁気の光子のエネルギー÷(4.468×10−21J/個)
1秒間にできる磁気の光子のエネルギーと、1mに存在するダークマター数の関係式は、
1mのダークマター数＝1秒間にできる磁気の光子のエネルギー÷(4.468×10−21J/個)、
1秒間にできる磁気の光子のエネルギー＝1mのダークマター数×4.468×10−21J/個、です。
このことにより理解できること。
1．1mのダークマター数＝1秒間にできる磁気の光子のエネルギー÷(4.468×10−21J/個)
2．1秒間にできる磁気の光子のエネルギーが4.468×10−21Jで、1mに1個のダークマターを引きつけておくことができる。
3．10−10ｍの時代の宇宙では、1mに1個のダークマターが存在し、1m3に1個のダークマターが存在する。ダークマターである自転する陽子のラブと電子のラブは1m3に1個存在する。ほとんど無の宇宙になる。
○1mに存在するダークマター数はいくらか。
1mのダークマター数＝1秒間にできる磁気の光子のエネルギー÷(4.468×10−21J/個
・10−20ｍの時代の宇宙の場合。
1mに存在するダークマター数＝1秒間にできる磁気の光子のエネルギー÷(4.468×10−21J/個)＝4.468×10−11J÷(4.468×10−21J/個)＝1010個
・10−19ｍの時代の宇宙の場合。
1mに存在するダークマター数＝1秒間にできる磁気の光子のエネルギー÷(4.468×10−21J/個)＝4.468×10−12J÷(4.468×10−21J/個)＝109個
・10−18ｍの時代の宇宙の場合。
1mに存在するダークマター数＝1秒間にできる磁気の光子のエネルギー÷(4.468×10−21J/個)＝4.468×10−13J÷(4.468×10−21J/個)＝108個
・10−17ｍの時代の宇宙の場合。
1mに存在するダークマター数＝1秒間にできる磁気の光子のエネルギー÷(4.468×10−21J/個)＝4.468×10−14J÷(4.468×10−21J/個)＝107個
・10−16ｍの時代の宇宙の場合。
1mに存在するダークマター数＝1秒間にできる磁気の光子のエネルギー÷(4.468×10−21J/個)＝4.468×10−15J÷(4.468×10−21J/個)＝106個
・10−15ｍの時代の宇宙の場合。
1mに存在するダークマター数＝1秒間にできる磁気の光子のエネルギー÷(4.468×10−21J/個)＝4.468×10−16J÷(4.468×10−21J/個)＝105個
・10−14ｍの時代の宇宙の場合。
1mに存在するダークマター数＝1秒間にできる磁気の光子のエネルギー÷(4.468×10−21J/個)＝4.468×10−17J÷(4.468×10−21J/個)＝104個
・10−13ｍの時代の宇宙の場合。
1mに存在するダークマター数＝1秒間にできる磁気の光子のエネルギー÷(4.468×10−21J/個)＝4.468×10−18J÷(4.468×10−21J/個)＝103個
・10−12ｍの時代の宇宙の場合。
1mに存在するダークマター数＝1秒間にできる磁気の光子のエネルギー÷(4.468×10−21J/個)＝4.468×10−19J÷(4.468×10−21J/個)＝102個
・10−11ｍの時代の宇宙の場合。
1mに存在するダークマター数＝1秒間にできる磁気の光子のエネルギー÷(4.468×10−21J/個)＝4.468×10−20J÷(4.468×10−21J/個)＝101個
・10−10ｍの時代の宇宙の場合。
1mに存在するダークマター数＝1秒間にできる磁気の光子のエネルギー÷(4.468×10−21J/個)＝4.468×10−21J÷(4.468×10−21J/個)＝1個
５．    ダークマターが1秒間に作る磁気の光子のエネルギー4.468×10−21Jが、1mに1個のダークマターを引きつけておくことから、宇宙の半径はいくらか。
・これを一般式であらわす。
10amの時代の宇宙の場合。
1mのダークマター数＝1秒間にできる磁気の光子のエネルギー÷(4.468×10−21J/個)＝4.468×10−11Jm÷10a÷(4.468×10−21J/個)＝10−10−a
1m3のダークマター数＝(10−10−a)3＝10−30−3a
体積＝4π/3 r3＝宇宙のダークマター数÷1m3のダークマター数＝宇宙のダークマター数÷(10−10−a)3m3
r3=宇宙のダークマター数÷(10−10−a)3÷4π/3m3
ｒ＝(宇宙のダークマター数÷(10−10−a)3÷4π/3)1/3m=宇宙のダークマター数1/3÷(10−10−a)÷(4π/3)1/3m=宇宙のダークマター数1/3×1010＋a÷1.612m＝宇宙のダークマター数1/3×1010＋a×0.620m
r＝宇宙のダークマター数1/3×1010＋a×0.620m
宇宙の半径は、宇宙のダークマター数1/3×1010＋a×0.620m、です。
A  宇宙のダークマター数が1.077×1079個の場合。
ｒ＝宇宙のダークマター数1/3×1010＋a×0.620m＝(1.077×1079個)1/3×1010＋a×0.620m＝(10.77×1078)1/3×1010＋a×0.620m＝2.209×1026×1010＋a×0.620m＝1.370×1036＋am
ｒ＝1.370×1036+am、です。
・10−20mの時代の宇宙の場合。
ｒ＝1.370×1036−20ｍ＝1.370×1016m
・10−19mの時代の宇宙の場合。
ｒ＝1.370×1036−19ｍ＝1.370×1017ｍ
・10−18mの時代の宇宙の場合。
ｒ＝1.370×1018ｍ
・10−17mの時代の宇宙の場合。
ｒ＝1.370×1019ｍ
・10−16mの時代の宇宙の場合。
ｒ＝1.370×1020ｍ
・10−15mの時代の宇宙の場合。
ｒ＝1.370×1021ｍ
・10−14mの時代の宇宙の場合。
r＝1.370×1022ｍ
・10−13mの時代の宇宙の場合。
r＝1.370×1023ｍ
・10−12mの時代の宇宙の場合。
ｒ＝1.370×1024ｍ
・10−11mの時代の宇宙の場合。
ｒ＝1.370×1025ｍ
・10−10mの時代の宇宙の場合。
ｒ＝1.370×1026ｍ
B  宇宙のダークマター数(素粒子数)が4.554×1084個の場合。
ｒ＝宇宙のダークマター数1/3×1010＋a×0.620m＝(4.554×1084個) 1/3×1010＋a×0.620m＝1.659×1028×1010＋a×0.620m＝1.028×1038+am
ｒ＝1.028×1038+am、です。
・10−20ｍの時代の宇宙の場合。
ｒ＝1.028×1038−20m ＝1.028×1018m
・10−19ｍの時代の宇宙の場合。
ｒ＝1.028×1038−19m＝1.028×1019m
・10−18ｍの時代の宇宙の場合。
ｒ＝1.028×1020ｍ
・10−17ｍの時代の宇宙の場合。
ｒ＝1.028×1021ｍ
・10−16ｍの時代の宇宙の場合。
ｒ＝1.028×1022ｍ
・10−15ｍの時代の宇宙の場合。
ｒ＝1.028×1023ｍ
・10−14ｍの時代の宇宙の場合。
ｒ＝1.028×1024ｍ
・10−13ｍの時代の宇宙の場合。
ｒ＝1.028×1025ｍ
・10−12ｍの時代の宇宙の場合。
ｒ＝1.028×1026ｍ
・10−11ｍの時代の宇宙の場合。
ｒ＝1.028×1027ｍ
・10−10ｍの時代の宇宙の場合。
ｒ＝1.028×1028ｍ
・ビッグバンの以前は、ダークマターは存在しませんので、計算は不必要です。
このことを表に示す。
表3
2014082830.tif 000005
2014082830.tif 000006
ただし、これはダークマターが均一に存在していると考える場合のものです。
６．    1個のダークマター(素粒子)が存在する長さはいくらか。ダークマター(素粒子)とダークマター(素粒子)の間の距離はいくらか。ダークマター(素粒子)が存在する長さは、ダークマター(素粒子)の大きさの何倍か。ダークマター(素粒子)が存在する大きさは、ダークマター(素粒子)の大きさの何倍か。(宇宙のダークマターはどのように存在しているかを知る。)
10−16mの時代の宇宙の場合。
・1個のダークマター(素粒子)が存在する長さはいくらか。
1m3に1018個のダークマター(素粒子)が存在するので、1mに106個のダークマター(素粒子)が存在する。
1個のダークマターは、1m÷106個＝10−6ｍ、に存在する。
1個のダークマターが存在する長さは10−6ｍです。
1ダークマターと1ダークマターの間の距離は10−6ｍです。
・1個のダークマター(素粒子)が存在する長さは、ダークマター(素粒子)の大きさの何倍か。
10−6ｍ÷10−16ｍ＝1010(倍)
1個のダークマターが存在する長さは、ダークマターの大きさの1010倍です。
・ダークマター(素粒子)が存在する大きさは、ダークマター(素粒子)の大きさの何倍か。
大きさは、(1010)3で、1030倍です。
ダークマターが存在する大きさは、ダークマターの大きさの1030倍です。
10−15mの時代の宇宙の場合。
1m3に1015個のダークマター(素粒子)が存在するので、1mには、105個のダークマター(素粒子)が存在する。
1個のダークマター(素粒子)は、1m÷105個＝10−5ｍ、に存在する。
1個のダークマター(素粒子)が存在する長さは10−5ｍです。
1ダークマターと1ダークマターの間の距離は10−5ｍです。
ダークマター(素粒子)が存在する長さは、ダークマター(素粒子)の大きさの、10−5ｍ÷10−15ｍ＝1010、倍です。
大きさは、(1010)3で、1030倍です。
10−14mの時代の宇宙の場合。
1m3に1012個のダークマター(素粒子)が存在するので、1mには、104個のダークマター(素粒子)が存在する。
1個のダークマター(素粒子)は、1m÷104個＝10−4ｍ、に存在する。
1個のダークマター(素粒子)が存在する長さは10−4ｍです。
1ダークマターと1ダークマターの距離は10−4ｍです。
1ダークマター(素粒子)が存在する長さは、ダークマター(素粒子)の大きさの、10−4ｍ÷10−14ｍ＝1010、倍です。
大きさは、(1010)3で、1030倍です。
・これを一般式で示す。
10amの時代の宇宙の場合。
ダークマターの電子のラブが1秒間に作る磁気の光子のエネルギー
＝ダークマターの電子のラブが1自転で作る磁気の光子1個のエネルギー×1秒間の自転数
＝6.110×10−57Jm÷(電子のラブの自転軌道÷ダークマターのA)×(7.96×107)3
＝3.082×10−33Jm÷(電子のラブの自転軌道÷ダークマターのA)
＝1.549×10−49Jm÷(電子のラブの公転軌道÷ダークマターのA)×(7.96×107)3
＝7.813×10−26Jm÷(電子のラブの公転軌道÷ダークマターのA)
＝7.813×10−26Jm÷10am×ダークマターのA
＝7.813×10−26Jm÷10am×5.719×10−6
＝4.468×10−31Jm÷10am
1mのダークマター数＝1秒間にできる磁気の光子のエネルギー÷(4.468×10−21J/個)
1mのダークマター数＝4.468×10−31Jm÷10am÷(4.468×10−21J/個)＝10−10−a個
1mのダークマター数は、10−10−a個。
1個のダークマター(素粒子)は、1m÷(10−10−a個)＝1010＋aｍに存在する。
ダークマター(素粒子)が存在する長さは、1010＋amです。
1ダークマターと1ダークマターの間の距離は、1010＋amです。
1ダークマター(素粒子)が存在する長さは、ダークマター(素粒子)の大きさの1010＋a÷10a＝1010倍です。
大きさは、(1010)3＝1030倍です。
○宇宙の時代を電子のラブの公転軌道で表した場合、ダークマター(素粒子)とダークマター(素粒子)の間の距離はいくらか。
1ダークマターと1ダークマターの距離は、1010＋amです。
・10−20mの時代の宇宙の場合。
1ダークマターと1ダークマターの間の距離=1010＋am＝1010−20ｍ＝10−10ｍ
・10−19mの時代の宇宙の場合。
1ダークマターと1ダークマターの間の距離=1010＋am＝1010−19ｍ＝10−9ｍ
・10−18mの時代の宇宙の場合。
1ダークマターと1ダークマターの間の距離=1010＋am＝1010−18ｍ＝10−8ｍ
・10−17mの時代の宇宙の場合。
1ダークマターと1ダークマターの間の距離=1010＋am＝1010−17ｍ＝10−7ｍ
・10−16mの時代の宇宙の場合。
1ダークマターと1ダークマターの間の距離=1010＋am＝1010−16ｍ＝10−6ｍ
・10−15mの時代の宇宙の場合。
1ダークマターと1ダークマターの間の距離=1010＋am＝1010−15ｍ＝10−5ｍ
・10−14mの時代の宇宙の場合。
1ダークマターと1ダークマターの間の距離=1010＋am＝1010−14ｍ＝10−4ｍ
・10−13mの時代の宇宙の場合。
1ダークマターと1ダークマターの間の距離=1010＋am＝1010−13ｍ＝10−3ｍ
・10−12mの時代の宇宙の場合。
1ダークマターと1ダークマターの間の距離=1010＋am＝1010−12ｍ＝10−2ｍ
・10−11mの時代の宇宙の場合。
1ダークマターと1ダークマターの間の距離=1010＋am＝1010−11ｍ＝10−1ｍ
・10−10mの時代の宇宙の場合。
1ダークマターと1ダークマターの間の距離=1010＋am＝1010−10ｍ＝1ｍ
７．    1ダークマター(素粒子)と1ダークマター(素粒子)の間の距離は1010＋amである。この場合、1ダークマター(素粒子)と1ダークマター(素粒子)の間の引力はいくらか。
1ダークマターと1ダークマターの間の引力＝1電子のラブが1秒間に作る磁気の光子のエネルギー2÷1ダークマターと1ダークマターの間の距離2
＝(4.468×10−31Jm÷10am
)2÷(1010＋am)2
＝1.996×10−61Jm÷102a÷1020＋2a
＝1.996×10−81−4aJm
1ダークマター(素粒子)と1ダークマター(素粒子)の間の引力は1.996×10−81−4aJmです。
.○宇宙の時代を電子のラブの公転軌道で表した場合、1ダークマターと1ダークマター間の引力はいくらか。
・10−20mの時代の宇宙の場合。
1ダークマターと1ダークマターの間の引力＝1個のダークマターが1秒間に作る磁気の光子のエネルギー2÷ダークマターとダークマターの距離2＝(4.468×10−11J)2÷(10−10ｍ)2＝1.996×10−21J×1020＝1.996×10−1J/m
・10−19mの時代の宇宙の場合。
1ダークマターと1ダークマターの間の引力＝1個のダークマターが1秒間に作る磁気の光子のエネルギー2÷ダークマターとダークマターの距離2＝(4.468×10−12J)2÷(10−9ｍ)2＝1.996×10−23J×1018＝1.996×10−5J/m
・10−18mの時代の宇宙の場合。
1ダークマターと1ダークマターの間の引力＝1個のダークマターが1秒間に作る磁気の光子のエネルギー2÷ダークマターとダークマターの距離2＝(4.468×10−13J)2÷(10−8ｍ)2＝1.996×10−25J×1016ｍ＝1.996×10−9J/m
・10−17mの時代の宇宙の場合。
1ダークマターと1ダークマターの間の引力＝1個のダークマターが1秒間に作る磁気の光子のエネルギー2÷ダークマターとダークマターの距離2＝(4.468×10−14J)2÷(10−7ｍ)2＝1.996×10−27J×1014＝1.996×10−13J/m
・10−16mの時代の宇宙の場合。
1ダークマターと1ダークマターの間の引力＝1個のダークマターが1秒間に作る磁気の光子のエネルギー2÷ダークマターとダークマターの距離2＝(4.468×10−15J)2÷(10−6ｍ)2＝1.996×10−29J×1012＝1.996×10−17J/m
・10−15mの時代の宇宙の場合。
1ダークマターと1ダークマターの間の引力＝1個のダークマターが1秒間に作る磁気の光子のエネルギー2÷ダークマターとダークマターの距離2＝(4.468×10−16J)2÷(10−5ｍ)2＝1.996×10−31J×1010＝1.996×10−21J/m
・10−14mの時代の宇宙の場合。
1ダークマターと1ダークマターの間の引力＝1個のダークマターが1秒間に作る磁気の光子のエネルギー2÷ダークマターとダークマターの距離2＝(4.468×10−17J)2÷(10−4ｍ)2＝1.996×10−33J×108＝1.996×10−25J/m
・10−13mの時代の宇宙の場合。
1ダークマターと1ダークマターの間の引力＝1個のダークマターが1秒間に作る磁気の光子のエネルギー2÷ダークマターとダークマターの距離2＝(4.468×10−18J)2÷(10−3ｍ)2＝1.996×10−31J×106＝1.996×10−29J/m
・10−12mの時代の宇宙の場合。
1ダークマターと1ダークマターの間の引力＝1個のダークマターが1秒間に作る磁気の光子のエネルギー2÷ダークマターとダークマターの距離2＝(4.468×10−19J)2÷(10−2ｍ)2＝1.996×10−37J×104＝1.996×10−33J/m
・10−11mの時代の宇宙の場合。
1ダークマターと1ダークマターの間の引力＝1個のダークマターが1秒間に作る磁気の光子のエネルギー2÷ダークマターとダークマターの距離2＝(4.468×10−20J)2÷(10−1ｍ)2＝1.996×10−39J×102＝1.996×10−37J/m
・10−10mの時代の宇宙の場合。
1ダークマターと1ダークマターの間の引力＝1個のダークマターが1秒間に作る磁気の光子のエネルギー2÷ダークマターとダークマターの距離2＝(4.468×10−21J)2÷(1ｍ)2＝
1.996×10−41J×12＝1.996×10−41J/m
この計算によって、
1ダークマター(素粒子)と1ダークマター(素粒子)の間の引力は1.996×10−81−4aJmであることが理解できた。
８．    引力と、1m3に存在するダークマター数の関係式はどのようであるか。
2007年8月25日に提出した、特願2007−246139、に次のように記した。
(10−16ｍの時代の宇宙には、１ｍ3に原子は1018個存在した。10−15ｍの時代の宇宙には、１ｍ3に原子は1015個存在した。10−14ｍの時代の宇宙には、１ｍ3に原子は1012個存在した。)
○引力と、1m3のダークマター数の関係式はどのようであるか。
・10−16ｍの時代の宇宙の場合。
ダークマターが作る引力は、1.996×10−17J/m です。
1m3のダークマター数4÷引力3＝(1018個)4÷(1.996×10−17J/m)3＝1072個÷(7.952×10−51J/m)＝1.258×10122個/J/m
・10−15ｍの時代の宇宙の場合。
引力は、1.996×10−21J/mです。
1m3のダークマター数4÷引力3＝(1015個)4÷(1.996×10−21J/m)3＝1060個÷(7.952×10−63J/m)＝1.258×10122個/J/m
・10−14ｍの時代の宇宙の場合。
引力は、1.996×10−25J/mです。
1m3のダークマター数4÷引力3＝(1012個)4÷(1.996×10−25J/m)3＝1048個÷(7.952×10−75J/m)＝1.258×10122個/J/m
・引力と、1m3のダークマター数の関係式は次のようです。
1m3のダークマター数4÷引力3＝1.258×10122個/J/m
1m3のダークマター数4＝1.258×10122個/J/m×引力3
1m3のダークマター数＝(1.258×10122個/J/m×引力3)1/4
引力3＝1m3のダークマター数4÷(1.258×10122個/J/m)
引力＝{1m3のダークマター数4÷(1.258×10122個/J/m)}1/3
・1m3のダークマター数4＝1.258×10122個/J/m×引力3、
1m3のダークマター数＝(1.258×10122個/J/m×引力3)1/4、の式が成立することを、確かめる。
・10−20ｍの場合。
1m3のダークマター数4＝1.258×10122個/J/m×引力3
(1030個)4＝1.258×10122個/J/m×(1.996×10−1J/m)3＝1.258×10122個/J/m×7.952×10−3J/m＝10120個
.・10−19ｍの場合。
1m3のダークマター数4＝1.258×10122個/J/m×引力3
(1027個)4＝1.258×10122個/J/m×(1.996×10−5J/m)3＝1.258×10122個/J/m×7.952×10−15J/m＝10108個
・10−18mの場合。
1m3のダークマター数4＝1.258×10122個/J/m×引力3
(1024個)4＝1.258×10122個/J/m×(6.103×10J/m)3＝1.258×10122個/J/m×227.32×103J/m＝1096個
この計算によって、
・1m3のダークマター数＝(1.258×10122個/J/m×引力3)1/4  の式は成立する。
また、
引力3=1m3のダークマター数4÷(1.258×10122個/J/m)、
引力={1m3のダークマター数4÷(1.258×10122個/J/m)}1/3、の式も成立する。
９．    1m3の数は、1ダークマターと1ダークマターの間の引力の何倍か。
10aの時代の宇宙の場合。
1ダークマターと1ダークマターの間の引力は、
引力＝{1m3のダークマター数4÷(1.258×10122個/J/m)}1/3＝{(10−30−3a)4個÷(1.258×10122個/J/m)}1/3＝｛10−120−12a÷(1.258×10122J/m)}1/3＝{7.949×10−243−12aJ/m｝1/3=1.996×10−81−4aJ/m
引力＝1.996×10−81−4aJ/m
1m3のダークマター数は、10−30−3a、です。
○1m3のダークマター数は、1ダークマターと1ダークマターの間の引力の何倍か。
1m3のダークマター数÷1ダークマターと1ダークマターの間の引力＝10−30−3a÷(1.996×10−81−4aJ/m)＝5.010×1050−3a+4a＝5.010×1050＋a(倍)
1m3のダークマター数は、1ダークマターと1ダークマターの間の引力の5.010×1050＋a倍です。
○宇宙の時代を電子のラブの公転軌道で表した場合、1m3のダークマター数は、1ダークマターと1ダークマターの間の引力の何倍か。
・10−20mの時代の宇宙の場合。
1m3のダークマター数÷1ダークマターと1ダークマターの間の引力＝1030個÷(1.996×10−1J/m)＝5.010×1030
1m3のダークマター数は1ダークマターと1ダークマターの間の引力の5×1030倍
・10−19mの時代の宇宙の場合。
1m3のダークマター数÷1ダークマターと1ダークマターの間の引力＝1027個÷(1.996×10−5J/m)＝5.010×1031
1m3のダークマター数＝1ダークマターと1ダークマターの間の引力の5.010×1031倍
・10−18mの時代の宇宙の場合。
1m3のダークマター数÷1ダークマターと1ダークマターの間の引力＝1024個÷(1.996×10−9J/m)＝5.010×1032倍
1m3のダークマター数＝1ダークマターと1ダークマターの間の引力の5.010×1032倍
・10−17mの時代の宇宙の場合。
1m3のダークマター数÷1ダークマターと1ダークマターの間の引力＝1021個÷(1.996×10−13J/m)＝5.010×1033倍
1m3のダークマター数＝1ダークマターと1ダークマターの間の引力の5.010×1033倍
・10−16mの時代の宇宙の場合。
1m3のダークマター数÷1ダークマターと1ダークマターの間の引力＝1018個÷(1.996×10−17J/m)＝5.010×1034倍
1m3のダークマター数＝1ダークマターと1ダークマターの間の引力の5.010×1034倍
・10−15mの時代の宇宙の場合。
1m3のダークマター数÷1ダークマターと1ダークマターの間の引力＝1015個÷(1.996×10−21J/m)＝5.010×1035倍
1m3のダークマター数＝1ダークマターと1ダークマターの間の引力の5.010×1035倍
・10−14mの時代の宇宙の場合。
1m3のダークマター数÷1ダークマターと1ダークマターの間の引力＝1012個÷(1.996×10−25J/m)＝5.010×1036倍
1m3のダークマター数＝1ダークマターと1ダークマターの間の引力の5.010×1036倍
・10−13mの時代の宇宙の場合。
1m3のダークマター数÷1ダークマターと1ダークマターの間の引力＝109個÷(1.996×10−29J/m)＝5.010×1037倍
1m3のダークマター数＝1ダークマターと1ダークマターの間の引力の5.010×1037倍
・10−12mの時代の宇宙の場合。
1m3のダークマター数÷1ダークマターと1ダークマターの間の引力＝106個÷(1.996×10−33J/m)＝5.010×1038倍
1m3のダークマター数＝1ダークマターと1ダークマターの間の引力の5.010×1038倍
・10−11mの時代の宇宙の場合。
1m3のダークマター数÷1ダークマターと1ダークマターの間の引力＝103個÷(1.996×10−37J/m)＝5.010×1039倍
1m3のダークマター数＝1ダークマターと1ダークマターの間の引力の5.010×1039倍
・10−10mの時代の宇宙の場合。
1m3のダークマター数÷1ダークマターと1ダークマターの間の引力＝1個÷(1.996×10−41J/m)＝5.010×1040倍
1m3のダークマター数＝1ダークマターと1ダークマターの間の引力の5.010×1040倍
故に、1m3のダークマター数は、1ダークマターと1ダークマターの間の引力の5.010×1050＋a倍である。
この事によって、1m3のダークマター数＝1ダークマターと1ダークマターの間の引力×5.010×1050+a倍であることが理解できた。
１０．    1m3のダークマター数4＝1.258×10122個/J/m×引力3。1m3のダークマター数＝(1.258×10122個/J/m×引力3)1/4、の式と、1m3のダークマター数＝1ダークマターと1ダークマターの間の引力×5.010×1050＋a、は同じことを意味する。
「請求項8」で、1m3のダークマター数4＝1.258×10122個/J/m×引力3。
1m3のダークマター数＝(1.258×10122個/J/m×引力3)1/4、の式が成立することを確かめた。
また、「請求項9」で、1m3のダークマター数＝1ダークマターと1ダークマターの間の引力の5.010×1050＋a倍であることを確かめた。
よって、
1m3のダークマター数4＝1.258×10122個/J/m×引力3、
1m3のダークマター数＝(1.258×10122個/J/m×引力3)1/4
の式と、
1m3のダークマター数＝1ダークマターと1ダークマターの間の引力の5.010×1050＋a倍＝引力×5.010×1050＋a、
の式は同じことを意味する。
このことにより、
引力3=1m3のダークマター数4÷(1.258×10122個/J/m)
引力={1m3のダークマター数4÷(1.258×10122個/J/m)}1/3
の式と
引力＝1m3のダークマター数÷(5.010×1050＋a)
の式は同じことを意味する。
このことを表に示す。
表4
2014082830.tif 000007
ただし、これはダークマターが均一に存在していると考える場合のものです。
【産業上の利用可能性】
【０００９】
宇宙にはダークマターがたくさん存在する。これを利用する産業が必ずおきる。なぜなら、ダークマターを活性化すると、水素原子になるからです。
【符号の説明】
【００１０】
１    10−14m時代の電子のラブのダークマターで、自転軌道は6.898×10−17mで、1秒間に作る磁気の光子のエネルギーは4.468×10−17Jです。
２    10−15m時代の電子のラブのダークマターで、自転軌道は6.898×10−18mで、1秒間に作る磁気の光子のエネルギーは4.468×10−16Jです。
３    10−16m時代の電子のラブのダークマターで、自転軌道は6.898×10−19mで、1秒間に作る磁気の光子のエネルギーは4.468×10−15Jです。
４    10−17m時代の電子のラブのダークマターで、自転軌道は6.898×10−20mで、1秒間に作る磁気の光子のエネルギーは4.468×10−14Jです。
【図１】
2014082830.tif 000012